(57)【要約】【課題】  レンズホルダの追従性を良好に保持すること。【解決手段】  レンズホルダ１の中央部下面にボス部４が一体突設され、該ボス部４の内部に軸受孔１ａが形成され、そのボス部４にフォーカスコイル６と中央貫通孔７ａを有する磁性板７とが外嵌されると共に、レンズホルダ１の両側面にトラッキングコイル８が取り付けられ、ボス部４がアクトベース９上のガイドシャフト１０に外嵌され、レンズホルダ１を間に挟んで対向する一対の磁石１１がアクトベース９に固定され、該両磁石１１の磁気作用により磁性板７を介してレンズホルダ１を浮かせており、レンズホルダ１をフォーカス方向ａ，ｂ及びトラッキング方向ｃ，ｄに駆動させるようにした光ピックアップにおいて、磁性板７がフォーカスコイル６からわずかの間隔ｔだけ離間された状態で軸受孔１ａの軸心Ｏ２に対して直交する方向Ｈに沿ってレンズホルダ１に固定されている。【選択図】        図１
2008108346.tif 000002
【特許請求の範囲】
【請求項１】
ほぼ中央部に軸受孔が貫設され一端部にレンズ装着口が形成された合成樹脂製レンズホ
ルダを有し、該レンズホルダの他端部下面にバランサ枠が一体突設されると共に、そのレ
ンズホルダの中央部下面にボス部が一体突設され、該ボス部の内部に前記軸受孔が延長し
て形成され、そのボス部にフォーカスコイルと中央貫通孔を有する磁性板とが外嵌される
と共に、レンズホルダの両側面にトラッキングコイルが取り付けられ、前記レンズ装着口
に対物レンズが装着され、前記ボス部がアクトベース上のガイドシャフトに外嵌され、前
記レンズホルダを間に挟んで対向する一対の磁石がアクトベースに固定され、該両磁石の
磁気作用により磁性板を介してレンズホルダを浮かせており、前記両コイルに通電して励
磁することにより、レンズホルダをフォーカス方向及びトラッキング方向に駆動させ、対
物レンズを通してディスクにレーザ光を投射し、その反射光に基づいてディスクに記録さ
れている情報を読み取るようにした光ピックアップにおいて、前記ボス部の外周面に周方
向に所定間隔をおいて複数の補強突条が一体形成されると共に、前記バランサ枠に切欠き
部が形成され、その複数の補強突条のうちの適当なものと切欠き部とにそれぞれ前記軸受
孔の軸心に対して直交する方向に沿って同一高さレベルの載置面が形成され、前記磁性板
が前記フォーカスコイルから離間された状態で前記各載置面に載置されて接着剤によりレ
ンズホルダに固定されていることを特徴とする光ピックアップ。
【請求項２】
ほぼ中央部に軸受孔が貫設され一端部にレンズ装着口が形成された合成樹脂製レンズホ
ルダを有し、該レンズホルダの他端部下面にバランサ枠が一体突設されると共に、そのレ
ンズホルダの中央部下面にボス部が一体突設され、該ボス部の内部に前記軸受孔が延長し
て形成され、そのボス部にフォーカスコイルと中央貫通孔を有する磁性板とが外嵌される
と共に、レンズホルダの両側面にトラッキングコイルが取り付けられ、前記レンズ装着口
に対物レンズが装着され、前記ボス部がアクトベース上のガイドシャフトに外嵌され、前
記レンズホルダを間に挟んで対向する一対の磁石がアクトベースに固定され、該両磁石の
磁気作用により磁性板を介してレンズホルダを浮かせており、前記両コイルに通電して励
磁することにより、レンズホルダをフォーカス方向及びトラッキング方向に駆動させ、対
物レンズを通してディスクにレーザ光を投射し、その反射光に基づいてディスクに記録さ
れている情報を読み取るようにした光ピックアップにおいて、前記磁性板が前記フォーカ
スコイルから離間された状態で前記軸受孔の軸心に対して直交する方向に沿ってレンズホ
ルダに固定されていることを特徴とする光ピックアップ。
【請求項３】
前記ボス部の外周面に周方向に所定間隔をおいて複数の補強突条が一体形成されると共
に、前記バランサ枠に切欠き部が形成され、その複数の補強突条のうちの適当なものと切
欠き部とにそれぞれ前記軸受孔の軸心に対して直交する方向に沿って同一高さレベルの載
置面が形成され、該各載置面に前記磁性板が載置されていることを特徴とする請求項２に
記載の光ピックアップ。
【請求項４】
前記ボス部の外周面に周方向に所定間隔をおいて複数の補強突条が一体形成され、該各
補強突条にそれぞれ前記軸受孔の軸心に対して直交する方向に沿って同一高さレベルの載
置面が形成され、該各載置面に前記磁性板が載置されていることを特徴とする請求項２に
記載の光ピックアップ。
【発明の詳細な説明】
【技術分野】
【０００１】
本発明は、ディスク装置（例えばＤＶＤプレーヤやＤＶＤレコーダなど）に使用される
光ピックアップに関し、特に、レンズホルダの追従性を良好に保持できるようにしたもの
である。
【背景技術】
【０００２】
光ピックアップの一例として図８及び図９に示すものがあり、図８は縦断面図、図９は
平面図であって、ほぼ中央部に軸受孔１ａが貫設され一端部にレンズ装着口２が形成され
た合成樹脂製レンズホルダ１を有し、該レンズホルダ１の他端部下面にバランサ枠３が一
体突設されると共に、そのレンズホルダ１の中央部下面にボス部４が一体突設され、該ボ
ス部４の内部に前記軸受孔１ａが延長して形成され、そのボス部４にフォーカスコイル６
と中央貫通孔７ａを有する磁性板７とが外嵌されると共に、レンズホルダ１の両側面にト
ラッキングコイル８が取り付けられ、前記レンズホルダ１に対物レンズＯＬが装着され、
前記ボス部４がアクトベース９上のガイドシャフト１０に外嵌され、レンズホルダ１を間
に挟んで対向する一対の磁石１１がアクトベース９に固定され、該両磁石１１の磁気作用
により磁性板７を介してレンズホルダ１を浮かせている。なお、１２はディスクＤの半径
方向に沿って移動可能なスライドベース、１３は該スライドベース１２にアクトベース９
を連結する傾角調整ボルト、１４はコリメータレンズ、１５はフレキシブルフラットケー
ブルであって、フォーカスコイル６及びトラッキングコイル８に接続されている。
【０００３】
情報読取手順を説明すると、両コイル６，８に通電して励磁することにより、レンズホ
ルダ１をガイドシャフト１０に沿ってフォーカス方向ａ，ｂに駆動すると共に、該レンズ
ホルダ１をガイドシャフト１０回りでトラッキング方向ｃ，ｄに駆動させ、対物レンズＯ
Ｌを通してディスクＤにレーザ光Ｌを投射し、その反射光に基づいてディスクＤに記録さ
れている情報を読み取る。
【０００４】
従来における前記磁性板７のレンズホルダ１に対する取付構造を図１０〜図１４に基づ
いて説明すると、図１０は同光ピックアップの拡大横断面図、図１１は同レンズホルダの
平面図、図１２は図１１のＣ−Ｃ矢視図、図１３は同分解斜視図、図１４（ａ）（ｂ）は
取付構造を示す横断面図である。
【０００５】
図１１に示すように、レンズホルダ１のボス部４の外周面に周方向に所定間隔をおいて
複数（この例では４つ）の補強突条１７が一体形成され、その補強突条１７付きボス部４
に磁性板７の中央貫通孔７ａが遊嵌されている。
【０００６】
図１０、図１２に示すように、磁性板７がフォーカスコイル６上に載置されており、こ
れによって、原則的には、該磁性板７がガイドシャフト１０の軸心Ｏ１に対して直交する
方向Ｈに沿って位置決めされ、その後、その磁性板７が熱硬化性接着剤などの接着剤１８
によりレンズホルダ１に固定されている。なお、関連する技術として特許文献１に記載し
たものがある。
【特許文献１】特開２００６−１５５８１３号公報
【発明の開示】
【発明が解決しようとする課題】
【０００７】
上記構成では、磁性板７をフォーカスコイル６上に載置しているため、図１４（ａ）に
示すように、そのフォーカスコイル６が傾いた状態でレンズホルダ１に取り付けられた場
合には、磁性板７もガイドシャフト１０の軸心Ｏ１に対して直交する方向Ｈからその傾き
に相当する角度αだけ位置ずれして傾くことになる。この傾いた状態で磁性板７がレンズ
ホルダ１に固定されると、該磁性板７が両磁石１１の磁気作用で引っ張られてその傾きが
矢印ｅ方向に修正され、これによって、図１４（ｂ）に示すように、その磁性板７がガイ
ドシャフト１０の軸心Ｏ１に対して直交する方向Ｈに沿う状態となって、レンズホルダ１
の軸受孔１ａの軸心Ｏ２がガイドシャフト１０の軸心Ｏ１に対して修正した分の角度βだ
け傾くことになる。その結果、軸受孔１ａの上下端がガイドシャフト１０に部分的に不規
則に接触されることになって、レンズホルダ１のフォーカス方向ａ，ｂ及びトラッキング
方向ｃ，ｄへの追従性が低下する。
【０００８】
本発明は、上記従来の欠点に鑑み、レンズホルダの追従性を良好に保持できるようにし
た光ピックアップを提供することを目的としている。
【課題を解決するための手段】
【０００９】
上記目的を達成するため、請求項１に記載の発明は、ほぼ中央部に軸受孔が貫設され一
端部にレンズ装着口が形成された合成樹脂製レンズホルダを有し、該レンズホルダの他端
部下面にバランサ枠が一体突設されると共に、そのレンズホルダの中央部下面にボス部が
一体突設され、該ボス部の内部に前記軸受孔が延長して形成され、そのボス部にフォーカ
スコイルと中央貫通孔を有する磁性板とが外嵌されると共に、レンズホルダの両側面にト
ラッキングコイルが取り付けられ、前記レンズ装着口に対物レンズが装着され、前記ボス
部がアクトベース上のガイドシャフトに外嵌され、前記レンズホルダを間に挟んで対向す
る一対の磁石がアクトベースに固定され、該両磁石の磁気作用により磁性板を介してレン
ズホルダを浮かせており、前記両コイルに通電して励磁することにより、レンズホルダを
フォーカス方向及びトラッキング方向に駆動させ、対物レンズを通してディスクにレーザ
光を投射し、その反射光に基づいてディスクに記録されている情報を読み取るようにした
光ピックアップにおいて、前記ボス部の外周面に周方向に所定間隔をおいて複数の補強突
条が一体形成されると共に、前記バランサ枠に切欠き部が形成され、その複数の補強突条
のうちの適当なものと切欠き部とにそれぞれ前記軸受孔の軸心に対して直交する方向に沿
って同一高さレベルの載置面が形成され、前記磁性板が前記フォーカスコイルから離間さ
れた状態で前記各載置面に載置されて接着剤によりレンズホルダに固定されていることを
特徴としている。
【００１０】
請求項２に記載の発明によれば、ほぼ中央部に軸受孔が貫設され一端部にレンズ装着口
が形成された合成樹脂製レンズホルダを有し、該レンズホルダの他端部下面にバランサ枠
が一体突設されると共に、そのレンズホルダの中央部下面にボス部が一体突設され、該ボ
ス部の内部に前記軸受孔が延長して形成され、そのボス部にフォーカスコイルと中央貫通
孔を有する磁性板とが外嵌されると共に、レンズホルダの両側面にトラッキングコイルが
取り付けられ、前記レンズ装着口に対物レンズが装着され、前記ボス部がアクトベース上
のガイドシャフトに外嵌され、前記レンズホルダを間に挟んで対向する一対の磁石がアク
トベースに固定され、該両磁石の磁気作用により磁性板を介してレンズホルダを浮かせて
おり、前記両コイルに通電して励磁することにより、レンズホルダをフォーカス方向及び
トラッキング方向に駆動させ、対物レンズを通してディスクにレーザ光を投射し、その反
射光に基づいてディスクに記録されている情報を読み取るようにした光ピックアップにお
いて、前記磁性板が前記フォーカスコイルから離間された状態で前記軸受孔の軸心に対し
て直交する方向に沿ってレンズホルダに固定されていることを特徴としている。
【００１１】
請求項３に記載の発明によれば、請求項２に記載の発明において、前記ボス部の外周面
に周方向に所定間隔をおいて複数の補強突条が一体形成されると共に、前記バランサ枠に
切欠き部が形成され、その複数の補強突条のうちの適当なものと切欠き部とにそれぞれ前
記軸受孔の軸心に対して直交する方向に沿って同一高さレベルの載置面が形成され、該各
載置面に前記磁性板が載置されていることを特徴としている。
【００１２】
請求項４に記載の発明によれば、請求項２に記載の発明において、前記ボス部の外周面
に周方向に所定間隔をおいて複数の補強突条が一体形成され、該各補強突条にそれぞれ前
記軸受孔の軸心に対して直交する方向に沿って同一高さレベルの載置面が形成され、該各
載置面に前記磁性板が載置されていることを特徴としている。
【発明の効果】
【００１３】
請求項１に記載の発明は第１の実施の形態（図１〜図４参照）対応するものであって、
これによれば、レンズホルダのボス部にフォーカスコイル及び磁性板を外嵌させて固定す
る場合に、該フォーカスコイルが傾いた状態でレンズホルダに取り付けられたとしても、
そのフォーカスコイルから磁性板が離間され、しかも、該磁性板が各載置面に載置されて
レンズホルダに固定されているから、その磁性板が両磁石の磁気作用で引っ張られること
より、該レンズホルダの軸受孔の軸心をガイドシャフトの軸心に所望通りに一致させるこ
とができ、これによって、レンズホルダが従来のように傾くことがなく、該レンズホルダ
のフォーカス方向及びトラッキング方向への追従性を良好に保持することができる。
【００１４】
特に、ボス部の外周面の各補強突条のうちの適当なものとバランサ枠の切欠き部とにそ
れぞれ形成した載置面が軸受孔の軸心に対して直交する方向に沿って同一高さレベルで形
成されているから、該各載置面に磁性板を載置するだけで、該磁性板を軸受孔の軸心に対
して直交する方向に沿って精密に位置決めすることができる。
【００１５】
請求項２に記載の発明は基本形態に対応するものであって、これによれば、レンズホル
ダのボス部にフォーカスコイル及び磁性板を外嵌させて固定する場合に、該フォーカスコ
イルが傾いた状態でレンズホルダに取り付けられたとしても、そのフォーカスコイルから
磁性板が離間され、しかも、該磁性板がレンズホルダの軸受孔の軸心に対して直交する方
向に沿ってレンズホルダに固定されているから、その磁性板が両磁石の磁気作用で引っ張
られることより、該レンズホルダの軸受孔の軸心をガイドシャフトの軸心に所望通りに一
致させることができ、これによって、レンズホルダが従来のように傾くことがなく、該レ
ンズホルダのフォーカス方向及びトラッキング方向への追従性を良好に保持することがで
きる。
【００１６】
請求項３記載の発明によれば、ボス部の外周面の各補強突条のうちの適当なものとバラ
ンサ枠の切欠き部とにそれぞれ形成した載置面が軸受孔の軸心に対して直交する方向に沿
って同一高さレベルで形成されているから、該各載置面に磁性板を載置するだけで、該磁
性板を軸受孔の軸心に対して直交する方向に沿って精密に位置決めすることができる。
【００１７】
請求項４に記載の発明によれば、ボス部の外周面の各補強突条に形成した載置面が軸受
孔の軸心に対して直交する方向に沿って同一高さレベルで形成されているから、該各載置
面に磁性板を載置するだけで、該磁性板を軸受孔の軸心に対して直交する方向に沿って精
密に位置決めすることができる。
【発明を実施するための最良の形態】
【００１８】
図１〜図４は本発明の第１の実施の形態である光ピックアップを示すものであり、図１
は同光ピックアップの拡大横断面図、図２は同レンズホルダの平面図、図３は図２のＡ−
Ａ矢視図、図４は同分解斜視図である。
【００１９】
図１〜図４に示すように、レンズホルダ１のボス部４の外周面に周方向に所定間隔をお
いて一体形成した複数（この実施の形態では４つ）の補強突条１７のうちの適当なもの（
この実施の形態ではレンズ装着口２側の２つ）の端部を部分的に削除して載置面２１ａが
形成され、レンズホルダ１のバランサ枠３に形成した切欠き部２０の底面が載置面２１ｂ
とされ、その両載置面２１ａ，２１ｂがレンズホルダ１の軸受孔１ａの軸心Ｏ２に対して
直交する方向Ｈに沿って同一高さレベルｈに設定され、その各載置面２１ａ，２１ｂから
わずかの間隔ｔをおいてフォーカスコイル６がボス部４に外嵌されている。
【００２０】
図２に示すように、前記補強突条１７の載置面２１ａに向けて磁性板７の中央貫通孔７
ａの内周縁を延ばすことにより内周縁延長部２２が一体形成されると共に、前記切欠き部
２０の載置面２１ｂに向けて磁性板７の外周縁を延ばすことにより外周縁延長部２３が一
体形成されている。上記以外の構成は図８〜図１４に示す構成とほぼ同じであるから、同
一部分に同一符号を付してその説明を省略する。
【００２１】
磁性板７の取付手順を説明すると、フォーカスコイル６をボス部４に外嵌させた後、磁
性板７の中央貫通孔７ａをボス部４に外嵌させて、該磁性板７の内周縁延長部２２を補強
突条１７の載置面２１ａに載置すると共に、その磁性板７の外周縁延長部２３を切欠き部
２０の載置面２１ｂに載置し、一対のトラッキングコイル８を磁性板７の先端突起部７ｂ
とレンズホルダ１の側面に突設した突起部２４とに係合させることにより、その各トラッ
キングコイル８をレンズホルダ１の両側面に当接させ、熱硬化性接着剤などからなる接着
剤１８により磁性板７、フォーカスコイル６及び各トラッキングコイル８をレンズホルダ
１に固定する。
【００２２】
上記構成によれば、ボス部４にフォーカスコイル６及び磁性板７を外嵌させて固定する
場合に、該フォーカスコイル６が傾いた状態でレンズホルダ１に取り付けられたとしても
、そのフォーカスコイル６から磁性板７が所定の間隔ｔだけ離間され、しかも、該磁性板
７が各載置面２１ａ，２１ｂに載置されてレンズホルダ１に固定されているから、その磁
性板７が両磁石１１の磁気作用で引っ張られることより、該レンズホルダ１の軸受孔１ａ
の軸心Ｏ２をガイドシャフト１０の軸心Ｏ１に所望通りに一致させることができ、これに
よって、レンズホルダ１が従来のように傾くことがなく（図１４参照）、該レンズホルダ
１のフォーカス方向ａ，ｂ及びトラッキング方向ｃ，ｄへの追従性を良好に保持すること
ができる。
【００２３】
特に、ボス部４の外周面の各補強突条１７のうちの適当なものとバランサ枠３の切欠き
部２０とにそれぞれ形成した載置面２１ａ，２１ｂが軸受孔１ａの軸心Ｏ２に対して直交
する方向Ｈに沿って同一高さレベルｈで形成されているから、該各載置面２１ａ，２１ｂ
に磁性板７を載置するだけで、該磁性板７を軸受孔１ａの軸心Ｏ２に対して直交する方向
Ｈに沿って精密に位置決めすることができる。
【００２４】
図５〜図７は本発明の第２の実施の形態である光ピックアップを示すものであり、図５
は同レンズホルダの平面図、図６は図５のＢ−Ｂ矢視図、図７は同分解斜視図である。
【００２５】
レンズホルダ１のボス部４の外周面に周方向に所定間隔をおいて一体形成した複数（こ
の実施の形態では４つ）の補強突条１７の端部を部分的に削除して載置面２１ａが形成さ
れ、該各載置面２１ａがレンズホルダ１の軸受孔１ａの軸心Ｏ２に対して直交する方向Ｈ
に沿って同一高さレベルｈに設定され、その各載置面２１ａに向けて磁性板７の中央貫通
孔７ａの内周縁を延ばすことにより内周縁延長部２２が一体形成されている。上記以外の
構成は図１〜図４に示す第１の実施の形態とほぼ同じであるから、同一部分に同一符号を
付してその説明を省略する。
【００２６】
磁性板７の取付手順を説明すると、フォーカスコイル６をボス部４に外嵌させた後、磁
性板７の中央貫通孔７ａをボス部４に外嵌させて、該磁性板７の各内周縁延長部２２を補
強突条１７の各載置面２１ａに載置し、一対のトラッキングコイル８を磁性板７の先端突
起部７ｂとレンズホルダ１の側面に突設した突起部２４とに係合させることにより、その
各トラッキングコイル８をレンズホルダ１の両側面に当接させ、熱硬化性接着剤などから
なる接着剤１８により磁性板７、フォーカスコイル６及び各トラッキングコイル８をレン
ズホルダ１に固定する。
【００２７】
上記構成によれば、第１の実施の形態とほぼ同じ効果を得ることができ、特に、ボス部
４の外周面の各補強突条１７に形成した載置面２１ａが軸受孔１ａの軸心Ｏ２に対して直
交する方向Ｈに沿って同一高さレベルｈで形成されているから、該各載置面２１ａに磁性
板７を載置するだけで、該磁性板７を軸受孔１ａの軸心Ｏ２に対して直交する方向Ｈに沿
って精密に位置決めすることができる。
【図面の簡単な説明】
【００２８】
【図１】本発明の第１の実施の形態である光ピックアップの拡大横断面図である。
【図２】同レンズホルダの平面図である。
【図３】図２のＡ−Ａ矢視図である。
【図４】同分解斜視図である。
【図５】本発明の第２の実施の形態である光ピックアップにおけるレンズホルダの平面図である。
【図６】図５のＢ−Ｂ矢視図である。
【図７】同分解斜視図である。
【図８】光ピックアップの一例を示す縦断面図である。
【図９】同平面図である。
【図１０】従来例を示す拡大横断面図である。
【図１１】同レンズホルダの平面図である。
【図１２】図１１のＣ−Ｃ矢視図である。
【図１３】同分解斜視図である。
【図１４】（ａ）（ｂ）は同磁性板の取付構造を示す横断面図である。
【符号の説明】
【００２９】
１              レンズホルダ
１ａ            軸受孔
２              レンズ装着口
３              バランサ
４              ボス部
６              フォーカスコイル
７              磁性板
７ａ            磁性板の中央貫通孔
８              トラッキングコイル
９              アクトベース
１０            ガイドシャフト
１１            磁石
１７            補強突条
１８            接着剤
２０            切欠き部
２１ａ，２１ｂ  載置面
Ｈ              直交する方向
ｈ              同一高さレベル
Ｏ１            ガイドシャフトの軸心
Ｏ２            軸受孔の軸心
【図１】
2008108346.tif 000003
【図２】
2008108346.tif 000004
【図３】
2008108346.tif 000005
【図４】
2008108346.tif 000006
【図５】
2008108346.tif 000007
【図６】
2008108346.tif 000008
【図７】
2008108346.tif 000009
【図８】
2008108346.tif 000010
【図９】
2008108346.tif 000011
【図１０】
2008108346.tif 000012
【図１１】
2008108346.tif 000013
【図１２】
2008108346.tif 000014
【図１３】
2008108346.tif 000015
【図１４】
2008108346.tif 000016